(57)【要約】【課題】本考案は、印部の突出操作、保管操作が容易であり、印部の保管性に優れ、構成が簡略なノック式印具を提供する。【解決手段】本考案のノック式印具は、一端に文字等の印面２ａを有する印部２を配置し、他端に操作部１２を備える印具本体１０と、箱型状に形成され、印具本体１０を、印部２が一端側から突出する突出位置と、内装される保管位置との範囲にわたってスライド可能に収容する収容体３０及び蓋体４０と、この収容体３０に一端を係止し印具本体１０に他端を係止して印具本体１０を他端側に付勢するコイルバネ１８を用いた付勢機構部と、印具本体１０に設けた係止用突部２１と、蓋体４０に設けた係止用突部２１が没入する２箇所の直線状配置の係止穴４１、４２とからなり、印具本体１０を収容箱体に対して印部２の突出位置、保管位置の両位置に対応して各々位置決めする位置決め機構部とを有するものである。【選択図】図６
0003107143.tif 000002
【実用新案登録請求の範囲】
【請求項１】
一端に文字等の印面を有する印部を配置し、他端に操作部を備える印具本体と、
一端及び他端が開口した箱型状に形成され、前記印具本体をその印部が一端側から突出する突出位置と内装される保管位置との範囲にわたってスライド可能に収容する収容箱体と、
この収容箱体と印具本体とにわたって設けた前記印具本体を他端側に付勢する付勢機構部と、
前記収容箱体と印具本体とにわたって設けた前記印具本体を収容箱体に対して印部の突出位置、保管位置の両位置に対応して各々位置決めする位置決め機構部と、
を有し、
前記操作部の付勢機構部の付勢力に抗した押圧操作により前記印部を突出位置に位置決めするように構成したことを特徴とするノック式印具。
【請求項２】
一端に文字等の印面を有する印部を配置し、他端に操作部を備える矩形板状の印具本体と、
一端及び他端が開口した箱型状に形成され、前記印具本体をその印部が一端側から突出する突出位置と内装される保管位置との範囲にわたってスライド可能に収容する収容箱体と、
この収容箱体に一端を係止し前記印具本体に他端を係止して前記印具本体を他端側に付勢するコイルバネを用いた付勢機構部と、
前記印具本体に設けた片持梁方式の係止用突部と、前記収容箱体に設けた前記係止用突部が没入する２箇所の直線状配置の係止穴とからなり、前記印具本体を収容箱体に対して前記印部の突出位置、保管位置の両位置に対応して各々位置決めする位置決め機構部と、
を有し、
前記操作部の付勢機構部の付勢力に抗した押圧操作により前記係止用突部を係止穴に係止して前記印部を突出位置に位置決めするとともに、前記印部の突出位置において前記係止用突部の押圧により係止穴から離脱させ付勢機構部の付勢力により前記印部を保管位置に変位させるように構成したことを特徴とするノック式印具。
【請求項３】
一端に文字等の印面を有する印部を配置し、他端に文字表示部を具備する操作部を備える矩形板状の印具本体と、
一端及び他端が開口した箱型状に形成され、前記印具本体をその印部が一端側から突出する突出位置と内装される保管位置との範囲にわたってスライド可能に収容する収容体と蓋体との重合からなる収容箱体と、
この収容箱体における収容体に一端を係止し前記印具本体に他端を係止して前記印具本体を他端側に付勢するコイルバネを用いた付勢機構部と、
前記印具本体に設けた片持梁方式の係止用突部と、前記収容箱体の蓋体に設けた前記係止用突部が没入する２箇所の直線状配置の係止穴とからなり、前記印具本体を収容箱体に対して前記印部の突出位置、保管位置の両位置に対応して各々位置決めする位置決め機構部と、
を有し、
前記操作部の付勢機構部の付勢力に抗した押圧操作により前記係止用突部を係止穴に係止して前記印部を突出位置に位置決めするとともに、前記印部の突出位置において前記係止用突部の押圧により係止穴から離脱させ付勢機構部の付勢力により前記印部を保管位置に変位させるように構成したことを特徴とするノック式印具。
【請求項４】
一端に文字等の印面を有する印部を配置し、他端に操作部を備える矩形板状の印具本体と、
一端及び他端が開口した箱型状に形成され、前記印具本体をその印部が一端側から突出する突出位置と内装される保管位置との範囲にわたってスライド可能に収容する収容箱体と、
この収容箱体に一端を係止し前記印具本体に他端を係止して前記印具本体を他端側に付勢するコイルバネを用いた付勢機構部と、
前記印具本体に設けた片持梁方式の係止用突部及びこの係止用突部近傍の押圧ボタン部と、前記収容箱体に設けた前記係止用突部が前記印部の保管位置に対応して没入する係止穴と、前記係止用突部が前記印部の突出位置に対応して没入するとともに前記押圧ボタン部が表出する係止長穴とを有する位置決め機構部と、
を有し、
前記操作部のコイルバネの付勢力に抗した押圧操作により前記係止用突部を係止穴に係止して前記印部を突出位置に位置決めするとともに、前記印部の突出位置において前記押圧ボタン部の押圧により係止用突部を係止長穴から離脱させコイルバネの付勢力により前記印部を保管位置に変位させるように構成したことを特徴とするノック式印具。
【請求項５】
一端に文字等の印面を有する印部を配置し、他端に文字表示部を具備する操作部を備える矩形板状の印具本体と、
一端及び他端が開口した箱型状に形成され、前記印具本体をその印部が一端側から突出する突出位置と、内装される保管位置との範囲にわたってスライド可能に収容する収容体と蓋体との重合からなる収容箱体と、
この収容箱体の収容体に一端を係止し前記印具本体に他端を係止して前記印具本体を他端側に付勢するコイルバネを用いた付勢機構部と、
前記印具本体に設けた片持梁方式の係止用突部及びこの係止用突部近傍の押圧ボタン部と、前記収容箱体の蓋体に設けた前記係止用突部が前記印部の保管位置に対応して没入する係止穴と、前記係止用突部が前記印部の突出位置に対応して没入するとともに前記押圧ボタン部が表出する係止長穴とを有する位置決め機構部と、
を有し、
前記操作部のコイルバネの付勢力に抗した押圧操作により前記係止用突部を係止穴に係止して前記印部を突出位置に位置決めするとともに、前記印部の突出位置において前記押圧ボタン部の押圧により係止用突部を係止長穴から離脱させコイルバネの付勢力により前記印部を保管位置に変位させるように構成したことを特徴とするノック式印具。
【考案の詳細な説明】
【技術分野】
【０００１】
本考案は、ノック式印具に関し、詳しくは一端側に文字等の押捺されるべき印部を有し、ノック式で印部を突出させて紙葉類等に捺印を行うノック式印具に関するものである。
【背景技術】
【０００２】
一端側に氏名、会社名等の押捺されるべき文字等を具備する印部を有し、ノック式で印部を本体から突出させて紙葉類等に捺印を行うノック式印具においては、印部の突出操作、保管操作の容易性と、構成の簡略化が要請される。
【０００３】
特許文献１には、スタンプ本体と、このスタンプ本体の一端側に備えた印面を有する印面部材と、印面部材の両端をスタンプ本体に支持する支持部と、印面部材をスタンプ本体から引き離す方向に付勢する弾性部材とを備えたスタンプ装置が提案されている。
【０００４】
しかし、この特許文献１のスタンプ装置の場合、印面を有する印面部材はスタンプ本体の一端側から常に突出状態にあり、印面が露出したままの構造であるため、スタンプ装置の不使用時において印面部材をスタンプ本体内に保管する機能を有するものではない。
【特許文献１】特開２００３−２８５５２３号公報
【考案の開示】
【考案が解決しようとする課題】
【０００５】
解決しようとする問題点は、印部の突出操作、保管操作が容易であり、不使用時における印部の保管性に優れ、しかも構成が簡略なノック式印具が存在しない点である。
【課題を解決するための手段】
【０００６】
本考案のノック式印具は、一端に文字等の印面を有する印部を配置し、他端に操作部を備える印具本体と、一端及び他端が開口した箱型状に形成され、前記印具本体をその印部が一端側から突出する突出位置と内装される保管位置との範囲にわたってスライド可能に収容する収容箱体と、この収容箱体と印具本体とにわたって設けた前記印具本体を他端側に付勢する付勢機構部と、前記収容箱体と印具本体とにわたって設けた前記印具本体を収容箱体に対して印部の突出位置、保管位置の両位置に対応して各々位置決めする位置決め機構部とを有し、前記操作部の付勢機構部の付勢力に抗した押圧操作により前記印部を突出位置に位置決めするように構成したことを最も主要な特徴とする。
【考案の効果】
【０００７】
本考案によれば、以下の効果を奏する。
請求項１記載の考案によれば、印面を有する印部の突出操作、保管操作が極めて容易であり、不使用時における印部の保管性に優れ、しかも印具本体、収容箱体、付勢機構部及び位置決め機構部からなる簡略な構成からなるノック式印具を提供することができる。
【０００８】
請求項２、３記載の考案によれば、操作部の押圧操作による印部の突出位置への位置決め、係止用突部の押圧による印部の保管位置への収容を各々ワンタッチで行うことができ、不使用時における印部の保管性にも優れたノック式印具を提供することができる。
【０００９】
請求項４、５記載の考案によれば、操作部の押圧操作による印部の突出位置への位置決め、押圧ボタン部の押圧による印部の保管位置への収容を各々ワンタッチで行うことができ、不使用時における印部の保管性にも優れたノック式印具を提供することができる。
【考案を実施するための最良の形態】
【００１０】
本考案は、印部の突出操作、保管操作が容易であり、不使用時における印部の保管性に優れ、しかも構成が簡略なノック式印具を提供するという目的を、一端に文字等の印面を有する印部を配置し、他端に操作部を備える矩形板状の印具本体と、一端及び他端が開口した箱型状に形成され、前記印具本体をその印部が一端側から突出する突出位置と内装される保管位置との範囲にわたってスライド可能に収容する収容箱体と、この収容箱体に一端を係止し前記印具本体に他端を係止して前記印具本体を他端側に付勢するコイルバネを用いた付勢機構部と、前記印具本体に設けた片持梁方式の係止用突部と、前記収容箱体に設けた前記係止用突部が没入する２箇所の直線状配置の係止穴とからなり、前記印具本体を収容箱体に対して前記印部の突出位置、保管位置の両位置に対応して各々位置決めする位置決め機構部とを有し、前記操作部の付勢機構部の付勢力に抗した押圧操作により前記係止用突部を係止穴に係止して印部を突出位置に位置決めするとともに、前記印部の突出位置において前記係止用突部の押圧により係止穴から離脱させ付勢機構部の付勢力により前記印部を保管位置に変位させるように構成することにより実現した。
【実施例】
【００１１】
以下に、本考案の実施例を詳細に説明する。
（実施例１）
本実施例のノック式印具１について、図１乃至図９を参照して詳細に説明する。
【００１２】
図１乃至図６に示す本実施例１のノック式印具１は、一端に図４に示すような会社名又は日付等の各種の文字、数字等を押印する印面２ａを端面に有する印部２を貼着等により配置するための略直方体状の印部貼着部１１を備え、他端にノック操作用の薄型板状で端面に図５に示すような文字表示部１２ａを具備する操作部１２を備えた外形が直方体状の印具本体１０と、前記印具本体１０を、前記印部２が一端側から突出する突出位置と、内装状態とする保管位置との範囲にわたってスライド可能に収容する端面コ状の収容体３０と、この収容体３０の開口面側に取り付けられて収容体３０との間で前記印具本体１０を覆う蓋体４０とを有している。収容体３０と蓋体４０とにより一端及び他端が開口した箱型状の収容箱体６０を構成している。
【００１３】
前記印具本体１０は、図６に示すように、両側辺１０ａ、１０ｂの一端側、他端側に各々一定間隔をもって、且つ、一定長さのコ状（又は逆コ状）スライド凹部１３、１４を２個ずつ側辺方向に沿って対称配置に具備している。また、前記印具本体１０の前記各スライド凹部１３、１４の内側には、片側２個ずつ合計４個のスライド長穴１５、１６を各々直線状配置に設けている。
【００１４】
また、前記印具本体１０の中央部で、且つ、他端近傍には、前記スライド長穴１５、１６と同方向にバネ用長穴１７が穿設され、このバネ用長穴１７内に付勢機構部を構成する丸棒状の案内棒２２及びコイルバネ１８を取り付けている。更に、印具本体１０の中央部から一端側に向けて穿設した長穴１９内には、片持梁方式の係止動作用突片２０を基端側の肉厚が大きく自由端側の肉厚が小さく、肉厚方向の可撓性を有する状態で設けている。
【００１５】
係止動作用突片２０の自由端近傍部分には、この係止動作用突片２０の表面から前方に突出する係止用突部２１を設けるとともに、この係止用突部２１から更に自由端側に延在する領域を延在部２０ａとしている。
【００１６】
前記収容体３０は、図６に示すように、矩形板状の基底部３１と、この基底部３１の両側辺から垂直上方に突設した一対の長方形状の側辺部３２ａ、３２ｂとからなり、端面形状が］状を呈するように形成され、この収容体３０の前記側辺部３２ａ、３２ｂの内側には、前記各スライド凹部１３、１４と係合する直方体状のスライド受部３３、３４を片側２個ずつ合計４個対称配置に設けている。
【００１７】
前記収容体３０のスライド受部３３、３４の内側には、前記印具本体１０に設けた合計４個のスライド長穴１５、１６内に嵌入する片側２個ずつ合計４個の案内突部３５、３６を対称配置に設けている。
【００１８】
前記収容体３０の他端側には、前記案内棒２２の外側のコイルバネ１８の突出端側を例えば挟み込む状態で取り付けるＵ状凹部３７ａを備えた付勢機構部を構成するバネ受け部３７を設けている。更に、前記収容体３０の一端側の内周部には、図６、図７に示すように、前記印部貼着部１１の外周縁部が当接する凹陥部３８を設けている。
【００１９】
前記蓋体４０は、図１、図６に示すように、前記収容体３０の開口部を一端側、他端側を除いて完全に覆う矩形板状に形成され、且つ、中央下部には前記係止用突部２１が没入する２箇所の係止穴４１、４２を直線状配置に備えている。
【００２０】
下側の係止穴４１は、前記印部２が前記収容体３０の一端側から突出した位置において前記係止用突部２１が没入するように設け、また、上側の係止穴４２は、前記印部２が前記収容体３０内に内装される保管位置において前記係止用突部２１が没入するように設けている。
【００２１】
前記収容体３０を形成する基底部３１の裏面の中央部には、図２に示すように、僅かな窪みを形成する凹陥部３１ａを、前記蓋体４０の表面中央部には、図１、図６に示すように、僅かな窪みを形成する凹陥部４０ａをこれらが表裏対称配置となるように設け、ノック式印具１の把持操作の容易化を図っている。また、前記蓋体４０の前記係止穴４１の回りには略楕円形状を呈する凹陥部４０ｂを設けている。
【００２２】
次に、本実施例１のノック式印具１の動作について説明する。
本実施例１のノック式印具１において、前記操作部１２のコイルバネ１８の付勢力に抗した押圧操作により前記印部２を印具本体１０とともに収容箱体６０の一端側にスライドさせ、印部２を突出させるとともに、前記係止用突部２１を前記係止穴４１に没入させて前記印部２を突出位置に位置決めする。
これにより、印部２の印面２ａを紙葉類７０に押捺して会社名等の文字を捺印することができる。
【００２３】
また、前記印部２の突出位置において前記係止用突部２１を係止穴４１から内方に離脱させ（内方に押し込み）、コイルバネ１８の付勢力により印部２を印具本体１０とともに他端側にスライドさせ、印部２を保管位置に変位させる。このとき、係止用突部２１は、図９に示すように、上側の係止穴４２に没入してこれにより印部２は保管位置に位置決めされる。また、前記操作部１２は、他端側にスライドして前記収容箱体６０から上方に突出した状態となる。
【００２４】
このようにして、前記操作部１２の押圧操作による印部２の押捺可能位置への突出及び位置決め動作及び前記係止用突部２１の押し込み操作による印部２の押捺可能位置から保管位置への収容動作を各々極めて簡略なワンタッチ操作にて実行することができ、操作が簡略で印部２の保管性も良好なノック式印具１を提供することが可能となる。
【００２５】
（実施例２）
図１０、図１１を参照して本考案の実施例２について説明する。図１０、図１１に示す本実施例２のノック式印具１Ａにおいて、実施例１のノック式印具１と同一の要素には同一の符号を付して示す。
【００２６】
本実施例２のノック式印具１Ａは基本的構成は実施例１のノック式印具１と同様であるが、前記係止動作用突片２０に係止用突部２１に加えてその近傍（真下）の延在部２０ａに押圧ボタン部２０ｂを設けたこと、前記蓋体４０の下側の係止穴４１に代えて、他端側に直線的に伸びる係止長穴４１ａを設けたことが特徴である。
【００２７】
本実施例２のノック式印具１Ａにおいて、前記操作部１２のコイルバネ１８の付勢力に抗した押圧操作により係止用突部２１を前記係止長穴４１ａの上部側に没入させ、且つ、押圧ボタン部２０ｂを前記係止長穴４１ａの下部側に表出させて、前記印部２を突出位置に位置決めする。これにより、印部２の印面２ａを紙葉類７０に押捺して会社名等の文字を捺印することができる。
【００２８】
また、前記印部２の突出位置において前記押圧ボタン部２０ｂの押圧により係止用突部２１を係止長穴４１ａから内方に離脱させ（内方に押し込み）、コイルバネ１８の付勢力により前記印部２を印具本体１０とともに他端側にスライドさせ、印部２を保管位置に変位させる。
【００２９】
このとき、係止用突部２１は、上側の係止穴４２に没入してこれにより印部２は保管位置に位置決めされる。この状態では、前記押圧ボタン部２０ｂは前記係止長穴４１ａ内を他端側にスライドするので、押圧ボタン部２０ｂと蓋体４０との干渉は回避され、操作の円滑性を確保できる。また、前記操作部１２は、他端側にスライドし前記収容箱体６０から上方に突出した状態となる。
【００３０】
このようにして、前記操作部１２の押圧操作による印部２の押捺可能位置への突出及び位置決め動作及び前記押圧ボタン部２０ｂの押圧による印部２の押捺可能位置から保管位置への収容動作を各々極めて簡略なワンタッチ操作にて実行することができ、操作が簡略で印部２の保管性も良好なノック式印具１を提供することが可能となる。
【産業上の利用可能性】
【００３１】
本考案は、上述した社名等の捺印用の印具に適用する場合の他、各種文字、数字、記号等を紙葉類等に付するスタンプ類等に幅広く適用できる。
【図面の簡単な説明】
【００３２】
【図１】本考案の実施例１のノック式印具を示す正面図である。
【図２】本考案の実施例１のノック式印具を示す背面図である。
【図３】本考案の実施例１のノック式印具を示す側面図である。
【図４】本考案の実施例１のノック式印具を示す底面図である。
【図５】本考案の実施例１のノック式印具を示す平面図である。
【図６】本考案の実施例１のノック式印具の分解斜視図である。
【図７】本考案の実施例１のノック式印具の蓋体を除去した状態の正面図である。
【図８】本考案の実施例１のノック式印具の印部の突出状態の拡大縦断面図である。
【図９】本考案の実施例１のノック式印具の印部の保管状態の拡大縦断面図である。
【図１０】本考案の実施例２のノック式印具を示す正面図である。
【図１１】本考案の実施例２のノック式印具を示す部分断面図である。
【符号の説明】
【００３３】
１    ック式印具
１Ａ  ノック式印具
２    印部
２ａ  印面
１０    印具本体
１０ａ  側辺
１０ｂ  側辺
１１    印部貼着部
１２    操作部
１２ａ  文字表示部
１３    スライド凹部
１４    スライド凹部
１５    スライド長穴
１６    スライド長穴
１７    バネ用長穴
１８    コイルバネ
１９    長穴
２０    係止動作用突片
２０ａ  延在部
２０ｂ  押圧ボタン部
２１    係止用突部
２２    案内棒
３０    収容体
３１    基底部
３１ａ  凹陥部
３２ａ  側辺部
３２ｂ  側辺部
３３    スライド受部
３４    スライド受部
３５    案内突部
３６    案内突部
３７    バネ受け部
３７ａ  Ｕ状凹部
３８    凹陥部
４０    蓋体
４０ａ  凹陥部
４０ｂ  凹陥部
４１    係止穴
４１ａ  係止長穴
４２    係止穴
６０    収容箱体
７０    紙葉類
【図１】
0003107143.tif 000003
【図２】
0003107143.tif 000004
【図３】
0003107143.tif 000005
【図４】
0003107143.tif 000006
【図５】
0003107143.tif 000007
【図６】
0003107143.tif 000008
【図７】
0003107143.tif 000009
【図８】
0003107143.tif 000010
【図９】
0003107143.tif 000011
【図１０】
0003107143.tif 000012
【図１１】
0003107143.tif 000013